(57)【特許請求の範囲】
【請求項１】
ユーザ機器（ＵＥ）を動作させるコンピュータ実装方法であって、
前記ＵＥが、送信−受信ポイント（ＴＲＰ）から、サウンディング参照信号（ＳＲＳ）リソースのＳＲＳ設定を受信する段階と、
前記ＵＥが、前記ＳＲＳ設定及び以前に受信されたＴＲＰ受信ビーム情報に従って、ＴＲＰ受信ビーム情報を決定する段階と、
前記ＵＥが、ＳＲＳを送信する少なくとも１つの送信ビームを決定する段階であって、前記少なくとも１つの送信ビームは、決定された前記ＴＲＰ受信ビーム情報及び前記ＳＲＳ設定に従って決定される、決定する段階と、
前記ＵＥが、前記ＳＲＳ設定に従って、前記少なくとも１つの送信ビームを用いて前記ＳＲＳリソース上で前記ＳＲＳを送信する段階と
を備える、
方法。
【請求項２】
ユーザ機器（ＵＥ）を動作させるコンピュータ実装方法であって、
前記ＵＥが、送信−受信ポイント（ＴＲＰ）から、サウンディング参照信号（ＳＲＳ）リソースのＳＲＳ設定を受信する段階と、
前記ＵＥが、継続インジケータ及び以前に受信されたＴＲＰ受信ビーム情報に従って、前記ＴＲＰ受信ビーム情報を決定する段階と、
前記ＵＥが、ＳＲＳを送信する少なくとも１つの送信ビームを決定する段階であって、前記少なくとも１つの送信ビームは、決定された前記ＴＲＰ受信ビーム情報及び前記ＳＲＳ設定に従って決定される、決定する段階と、
前記ＵＥが、前記ＳＲＳ設定に従って、前記少なくとも１つの送信ビームを用いて前記ＳＲＳリソース上で前記ＳＲＳを送信する段階と
を備える、
方法。
【請求項３】
ユーザ機器（ＵＥ）を動作させるコンピュータ実装方法であって、
前記ＵＥが、送信−受信ポイント（ＴＲＰ）から、サウンディング参照信号（ＳＲＳ）リソースのＳＲＳ設定を受信する段階と、
前記ＵＥが、永続性のインジケータ及び以前に受信されたＴＲＰ受信ビーム情報に従って、前記ＴＲＰ受信ビーム情報を決定する段階と、
前記ＵＥが、ＳＲＳを送信する少なくとも１つの送信ビームを決定する段階であって、前記少なくとも１つの送信ビームは、決定された前記ＴＲＰ受信ビーム情報及び前記ＳＲＳ設定に従って決定される、決定する段階と、
前記ＵＥが、前記ＳＲＳ設定に従って、前記少なくとも１つの送信ビームを用いて前記ＳＲＳリソース上で前記ＳＲＳを送信する段階と
を備える、
方法。
【請求項４】
ユーザ機器（ＵＥ）を動作させるコンピュータ実装方法であって、
前記ＵＥが、送信−受信ポイント（ＴＲＰ）から、サウンディング参照信号（ＳＲＳ）リソースのＳＲＳ設定を受信する段階と、
前記ＵＥが、ＳＲＳを送信する少なくとも１つの送信ビームを決定する段階であって、前記少なくとも１つの送信ビームは、ＴＲＰ受信ビーム情報及び前記ＳＲＳ設定に従って決定される、決定する段階と、
前記ＵＥが、前記ＳＲＳ設定に従って、前記少なくとも１つの送信ビームを用いて前記ＳＲＳリソース上で前記ＳＲＳを送信する段階と
を備え、
前記ＴＲＰ受信ビーム情報は、それぞれのＳＲＳリソースに対して少なくとも２つのメッセージタイプを含む、
方法。
【請求項５】
前記少なくとも１つの送信ビームは、前記ＵＥによって行われたダウンリンクチャネル測定に従ってさらに決定される、請求項１から４の何れか一項に記載の方法。
【請求項６】
前記ＴＲＰ受信ビーム情報は、前記ＳＲＳ設定で受信される、請求項１から５の何れか一項に記載の方法。
【請求項７】
第１のメッセージタイプは、ＳＲＳリソースと関連付けられている前記ＴＲＰで受信ビームに関する情報を伝達し、第２のメッセージタイプは、前記受信ビームが前記第１のメッセージタイプから変化したかどうかに関する情報を伝達する、請求項４に記載の方法。
【請求項８】
前記第２のメッセージタイプは、前記受信ビームが前記第１のメッセージタイプに対して変化したかどうかに関する情報を伝達する、請求項７に記載の方法。
【請求項９】
命令を有する非一時的メモリストレージと、
前記非一時的メモリストレージと通信する１又は複数のプロセッサと
を備えるユーザ機器（ＵＥ）であって、
前記１又は複数のプロセッサは、
送信−受信ポイント（ＴＲＰ）から、サウンディング参照信号（ＳＲＳ）リソースのＳＲＳ設定を受信することと、
永続性のインジケータ及び以前に受信されたＴＲＰ受信ビーム情報に従って、ＴＲＰ受信ビーム情報を決定することと、
ＳＲＳを送信する少なくとも１つの送信ビームを決定することであって、前記少なくとも１つの送信ビームは、決定された前記ＴＲＰ受信ビーム情報及び前記ＳＲＳ設定に従って決定される、決定することと、
前記ＳＲＳ設定に従って、前記少なくとも１つの送信ビームを用いて前記ＳＲＳリソース上で前記ＳＲＳを送信することと
を行うよう前記命令を実行する、
ユーザ機器（ＵＥ）。
【請求項１０】
命令を有する非一時的メモリストレージと、
前記非一時的メモリストレージと通信する１又は複数のプロセッサと
を備えるユーザ機器（ＵＥ）であって、
前記１又は複数のプロセッサは、
送信−受信ポイント（ＴＲＰ）から、サウンディング参照信号（ＳＲＳ）リソースのＳＲＳ設定を受信することと、
ＳＲＳを送信する少なくとも１つの送信ビームを決定することであって、前記少なくとも１つの送信ビームは、ＴＲＰ受信ビーム情報及び前記ＳＲＳ設定に従って決定される、決定することと、
前記ＳＲＳ設定に従って、前記少なくとも１つの送信ビームを用いて前記ＳＲＳリソース上で前記ＳＲＳを送信することと
を行うよう前記命令を実行し、
前記ＴＲＰ受信ビーム情報は、前記ＵＥによって以前に送信され、かつ、前記ＳＲＳ設定に定められているような前記ＳＲＳリソースと関連付けられている受信ビームを用いて受信されたアップリンク参照信号リソースインジケータを含む、
ユーザ機器（ＵＥ）。
【請求項１１】
命令を有する非一時的メモリストレージと、
前記非一時的メモリストレージと通信する１又は複数のプロセッサと
を備えるユーザ機器（ＵＥ）であって、
前記１又は複数のプロセッサは、
送信−受信ポイント（ＴＲＰ）から、サウンディング参照信号（ＳＲＳ）リソースのＳＲＳ設定を受信することと、
ＳＲＳを送信する少なくとも１つの送信ビームを決定することであって、前記少なくとも１つの送信ビームは、ＴＲＰ受信ビーム情報及び前記ＳＲＳ設定に従って決定される、決定することと、
前記ＳＲＳ設定に従って、前記少なくとも１つの送信ビームを用いて前記ＳＲＳリソース上で前記ＳＲＳを送信することと
を行うよう前記命令を実行し、
前記ＴＲＰ受信ビーム情報は、前記ＵＥによって以前に送信され、かつ、前記ＳＲＳ設定に定められているような前記ＳＲＳリソースと関連付けられている受信ビームと関連付けられている空間フィルタリングを用いて受信されたダウンリンク参照信号リソースインジケータを含む、
ユーザ機器（ＵＥ）。
【請求項１２】
命令を有する非一時的メモリストレージと、
前記非一時的メモリストレージと通信する１又は複数のプロセッサと
を備えるユーザ機器（ＵＥ）であって、
前記１又は複数のプロセッサは、
送信−受信ポイント（ＴＲＰ）から、サウンディング参照信号（ＳＲＳ）リソースのＳＲＳ設定を受信することと、
ＳＲＳを送信する少なくとも１つの送信ビームを決定することであって、前記少なくとも１つの送信ビームは、ＴＲＰ受信ビーム情報及び前記ＳＲＳ設定に従って決定される、決定することと、
前記ＳＲＳ設定に従って、前記少なくとも１つの送信ビームを用いて前記ＳＲＳリソース上で前記ＳＲＳを送信することと
を行うよう前記命令を実行し、
前記ＴＲＰ受信ビーム情報は、前記ＵＥによって以前に送信され、かつ、前記ＳＲＳ設定に定められているような前記ＳＲＳリソースと関連付けられている受信ビームを用いて受信されたアップリンクデータ信号リソースインジケータを含む、ユーザ機器（ＵＥ）。
【請求項１３】
前記１又は複数のプロセッサは、前記ＳＲＳ設定に従って、前記少なくとも１つの送信ビームを用いて前記ＳＲＳを送信することを行うよう前記命令をさらに実行する、請求項９から１２のいずれか一項に記載のＵＥ。
【請求項１４】
装置に請求項１から８のいずれか一項に記載の方法を実装させる命令を備える、プログラム。
【発明の詳細な説明】
【技術分野】
【０００１】
本願は、２０１８年７月９日に出願され、「ビームフォーミングされたサウンディング参照信号をサポートするシステム及び方法（Ｓｙｓｔｅｍ  ａｎｄ  Ｍｅｔｈｏｄ  ｆｏｒ  Ｓｕｐｐｏｒｔｉｎｇ  Ｂｅａｍｆｏｒｍｅｄ  Ｓｏｕｎｄｉｎｇ  Ｒｅｆｅｒｅｎｃｅ  Ｓｉｇｎａｌｓ）」と題する米国非仮出願番号第１６／０２９，９８０号に対する優先権を主張するものであり、これは、２０１８年７月１３日に出願され、「ビームフォーミングされたサウンディング参照信号をサポートするシステム及び方法（Ｓｙｓｔｅｍ  ａｎｄ  Ｍｅｔｈｏｄ  ｆｏｒ  Ｓｕｐｐｏｒｔｉｎｇ  Ｂｅａｍｆｏｒｍｅｄ  Ｓｏｕｎｄｉｎｇ  Ｒｅｆｅｒｅｎｃｅ  Ｓｉｇｎａｌｓ）」と題する米国仮特許出願番号第６２／５３２，１７７号からの優先権を同様に主張するものであり、当該特許出願の両方が、これらの全体が記載されているかのように、参照により本明細書に組み込まれる。
【０００２】
本開示は、概して、デジタル通信のシステム及び方法に関し、特定の実施形態において、ビームフォーミングされたサウンディング参照信号をサポートするシステム及び方法に関する。
【背景技術】
【０００３】
将来の無線通信システムは、より広い帯域幅及びより少ない干渉を発見することを求めて、これまでよりも高いキャリア周波数で動作するだろう。無線通信システムは、６ＧＨｚの周波数及びこれ以上の周波数で動作し得る。無線通信システムに利用可能なより広い帯域幅を十分に利用すべく、送信−受信ポイント（ＴＲＰ）は、既存のバックホール接続又はフロントホール接続で与えられるものより多くの帯域幅及び少ないレイテンシを必要とし得る。さらに、ＴＲＰの密度は、現在の設置よりはるかに高くなりそうであり、これらのＴＲＰの全てに有線大容量バックホール接続を構築するコストは、ひどく高くなり得る。これに加えて、特定の状況において、いくつかのＴＲＰは、本質的に一時的又は可動性であってよく、有線接続をサポートすることができない場合がある。
【０００４】
参照信号は、測定を行うよう通信デバイスをアシストするのに通常は用いられる。一例として、チャネル状態情報参照信号（ＣＳＩ−ＲＳ）が、ユーザ機器（ＵＥ）がダウンリンクチャネルを測定することを可能にするようＴＲＰによって送信され、一方で、サウンディング参照信号（ＳＲＳ）が、ＴＲＰがアップリンクチャネルを測定することを可能にするようＵＥによって送信される。
【０００５】
（６ＧＨｚ以上で動作する通信システム、例えば、ミリ波（ｍｍＷａｖｅ）通信システムのような）リンク予算が制限されている通信システムにおいて、高い伝搬損失のある動作環境における性能要件を満たすべく、参照信号が（送信デバイス及び受信デバイスで）ビームフォーミングされる必要があるだろう。
【発明の概要】
【０００６】
例示的な実施形態によって、ビームフォーミングされたサウンディング参照信号をサポートするシステム及び方法を提供する。
【０００７】
例示的な実施形態に従って、ユーザ機器（ＵＥ）を動作させるコンピュータ実装方法が提供される。方法は、ＵＥが、送信−受信ポイント（ＴＲＰ）から、サウンディング参照信号（ＳＲＳ）リソースのＳＲＳ設定を受信する段階と、ＵＥが、ＳＲＳを送信する少なくとも１つの送信ビームを決定する段階であって、少なくとも１つの送信ビームは、ＴＲＰ受信ビーム情報及びＳＲＳ設定に従って決定される、決定する段階と、ＵＥが、ＳＲＳ設定に従って、少なくとも１つの送信ビームを用いてＳＲＳリソース上でＳＲＳを送信する段階とを含む。
【０００８】
オプションで、前述の実施形態のいずれかにおいて、少なくとも１つの送信ビームは、ＵＥによって行われたダウンリンクチャネル測定に従ってさらに決定される実施形態である。
【０００９】
オプションで、前述の実施形態のいずれかにおいて、ＴＲＰ受信ビーム情報は、ＳＲＳ設定で受信される実施形態である。
【００１０】
オプションで、前述の実施形態のいずれかにおいて、ＵＥが、ＳＲＳ設定及び以前に受信されたＴＲＰ受信ビーム情報に従って、ＴＲＰ受信ビーム情報を決定する段階をさらに含む実施形態である。
【００１１】
オプションで前述の実施形態のいずれかにおいて、ＵＥが、継続インジケータ及び以前に受信されたＴＲＰ受信ビーム情報に従って、ＴＲＰ受信ビーム情報を決定する段階をさらに含む実施形態である。
【００１２】
オプションで前述の実施形態のいずれかにおいて、ＵＥが、永続性のインジケータ及び以前に受信されたＴＲＰ受信ビーム情報に従って、ＴＲＰ受信ビーム情報を決定する段階をさらに含む実施形態である。
【００１３】
オプションで、前述の実施形態のいずれかにおいて、ＴＲＰ受信ビーム情報は、それぞれのＳＲＳリソースに対して少なくとも２つのメッセージタイプを含む実施形態である。
【００１４】
オプションで前述の実施形態のいずれかにおいて、第１のメッセージタイプは、ＳＲＳリソースと関連付けられているＴＲＰで受信ビームに関する情報を伝達し、第２のメッセージタイプは、受信ビームが第１のメッセージタイプから変化したかどうかに関する情報を伝達する実施形態である。
【００１５】
オプションで、前述の実施形態のいずれかにおいて、第２のメッセージタイプは、受信ビームが第１のメッセージタイプに対して変化したかどうかに関する情報を伝達する実施形態である。
【００１６】
オプションで、前述の実施形態のいずれかにおいて、第２のメッセージタイプは、受信ビームの永続性のウィンドウに関する情報を伝達する実施形態である。
【００１７】
オプションで、前述の実施形態のいずれかにおいて、ＴＲＰ受信ビーム情報は、ＵＥによって以前に送信され、かつ、ＳＲＳ設定に定められているようなＳＲＳリソースと関連付けられている受信ビームを用いて受信されたアップリンク参照信号リソースインジケータを含む実施形態である。
【００１８】
オプションで、前述の実施形態のいずれかにおいて、ＴＲＰ受信ビーム情報は、ＵＥによって以前に送信され、かつ、ＳＲＳ設定に定められているようなＳＲＳリソースと関連付けられている受信ビームと関連付けられている空間フィルタリングを用いて受信されたダウンリンク参照信号リソースインジケータを含む実施形態である。
【００１９】
オプションで、前述の実施形態のいずれかにおいて、ＴＲＰ受信ビーム情報は、ＵＥによって以前に送信され、かつ、ＳＲＳ設定に定められているようなＳＲＳリソースと関連付けられている受信ビームを用いて受信されたアップリンクデータ信号リソースインジケータを含む実施形態である。
【００２０】
例示的な実施形態に従って、ＵＥが提供される。ＵＥは、命令を有する非一時的メモリストレージと、メモリストレージと通信する１又は複数のプロセッサとを含む。１又は複数のプロセッサは、ＴＲＰから、ＳＲＳリソースのＳＲＳ設定を受信することと、ＳＲＳを送信する少なくとも１つの送信ビームを決定することであって、少なくとも１つの送信ビームは、ＴＲＰ受信ビーム情報及びＳＲＳ設定に従って決定される、決定することと、ＳＲＳ設定に従って、少なくとも１つの送信ビームを用いてＳＲＳリソース上でＳＲＳを送信することとを行うよう命令を実行する。
【００２１】
オプションで、前述の実施形態のいずれかにおいて、１又は複数のプロセッサは、ＵＥによって行われたダウンリンクチャネル測定に従って、少なくとも１つの送信ビームを決定することを行うよう命令をさらに実行する実施形態である。
【００２２】
オプションで、前述の実施形態のいずれかにおいて、１又は複数のプロセッサは、ＳＲＳ設定及び以前に受信されたＴＲＰ受信ビーム情報に従って、ＴＲＰ受信ビーム情報を決定することを行うよう命令をさらに実行する実施形態である。
【００２３】
オプションで、前述の実施形態のいずれかにおいて、１又は複数のプロセッサは、継続インジケータ及び以前に受信されたＴＲＰ受信ビーム情報に従って、ＴＲＰ受信ビーム情報を決定することを行うよう命令をさらに実行する実施形態である。
【００２４】
オプションで、前述の実施形態のいずれかにおいて、１又は複数のプロセッサは、永続性のインジケータ及び以前に受信されたＴＲＰ受信ビーム情報に従って、ＴＲＰ受信ビーム情報を決定することを行うよう命令をさらに実行する実施形態である。
【００２５】
オプションで、前述の実施形態のいずれかにおいて、ＴＲＰ受信ビーム情報は、ＵＥによって以前に送信され、かつ、ＳＲＳ設定に定められているようなＳＲＳリソースと関連付けられている受信ビームを用いて受信されたアップリンク参照信号リソースインジケータを含む実施形態である。
【００２６】
オプションで、前述の実施形態のいずれかにおいて、ＴＲＰ受信ビーム情報は、ＵＥによって以前に送信され、かつ、ＳＲＳ設定に定められているようなＳＲＳリソースと関連付けられている受信ビームと関連付けられている空間フィルタリングを用いて受信されたダウンリンク参照信号リソースインジケータを含む実施形態である。
【００２７】
オプションで、前述の実施形態のいずれかにおいて、ＴＲＰ受信ビーム情報は、ＵＥによって以前に送信され、かつ、ＳＲＳ設定に定められているようなＳＲＳリソースと関連付けられている受信ビームを用いて受信されたアップリンクデータ信号リソースインジケータを含む実施形態である。
【００２８】
オプションで、前述の実施形態のいずれかにおいて、１又は複数のプロセッサは、ＳＲＳ設定に従って、少なくとも１つの送信ビームを用いてＳＲＳを送信することを行うよう命令をさらに実行する実施形態である。
【００２９】
例示的な実施形態に従って、コンピュータ命令を格納する非一時的コンピュータ可読媒体が提供される。１又は複数のプロセッサに実行されると、命令は、ＴＲＰから、ＳＲＳリソースのＳＲＳ設定を受信する手順と、ＳＲＳを送信する少なくとも１つの送信ビームを決定する手順であって、少なくとも１つの送信ビームは、ＴＲＰ受信ビーム情報及びＳＲＳ設定に従って決定される、決定する手順と、ＳＲＳ設定に従って、少なくとも１つの送信ビームを用いてＳＲＳリソース上でＳＲＳを送信する手順とを１又は複数のプロセッサに実行させる。
【００３０】
オプションで、前述の実施形態のいずれかにおいて、１又は複数のプロセッサは、ＵＥによって行われたダウンリンクチャネル測定に従って少なくとも１つの送信ビームを決定する手順を行うよう命令をさらに実行する実施形態である。
【００３１】
オプションで、前述の実施形態のいずれかにおいて、１又は複数のプロセッサは、ＳＲＳ設定及び以前に受信されたＴＲＰ受信ビーム情報に従って、ＴＲＰ受信ビーム情報を決定する手順を行うよう命令をさらに実行する実施形態である。
【００３２】
オプションで、前述の実施形態のいずれかにおいて、１又は複数のプロセッサは、継続インジケータ及び以前に受信されたＴＲＰ受信ビーム情報に従って、ＴＲＰ受信ビーム情報を決定する手順を行うよう命令をさらに実行する実施形態である。
【００３３】
オプションで、前述の実施形態のいずれかにおいて、１又は複数のプロセッサは、永続性のインジケータ及び以前に受信されたＴＲＰ受信ビーム情報に従って、ＴＲＰ受信ビーム情報を決定する手順を行うよう命令をさらに実行する実施形態である。
【００３４】
オプションで、前述の実施形態のいずれかにおいて、１又は複数のプロセッサは、ＳＲＳ設定に従って、少なくとも１つの送信ビームを用いてＳＲＳを送信する手順を行うよう命令をさらに実行する実施形態である。
【００３５】
上述の実施形態を実施することによって、参照信号設定情報を信号で伝えることと関連付けられている減少したオーバーヘッドを可能にする。減少したオーバーヘッドは、全体の通信システムの性能を改善するのに役立つ。
【図面の簡単な説明】
【００３６】
本開示及びその利点の、より完全な理解のために、これから、添付図面と併せて以下の説明が参照される。
【００３７】
【図１】本明細書で説明される例示的な実施形態による、例示的な無線通信システムを図示する。
【００３８】
【図２】本明細書で説明される例示的な実施形態による、有効な通信ビームを強調した例示的な通信システムを図示する。
【００３９】
【図３】本明細書で説明される例示的な実施形態による、共同譲渡された米国特許出願第１５／１３９，９８７号に開示された技術の要約を提供する例示的な通信システムを図示する。
【００４０】
【図４Ａ】本明細書で説明される例示的な実施形態による、ＴＲＰが全ての利用可能な受信ビームをＳＲＳ受信に用いる第１のシナリオを強調した例示的な通信システムを図示する。
【００４１】
【図４Ｂ】本明細書で説明される例示的な実施形態による、ＴＲＰが利用可能な受信ビームの一部をＳＲＳ受信に用いる第２のシナリオを強調した例示的な通信システムを図示する。
【００４２】
【図５】本明細書で説明される例示的な実施形態による、受信ビーム情報を信号で伝える継続インジケータの使用を強調した図を図示する。
【００４３】
【図６】本明細書で説明される例示的な実施形態による、半永続性の受信ビーム情報の使用を強調した図を図示する。
【００４４】
【図７】本明細書で説明される例示的な実施形態による、ＴＲＰとＵＥとの間のアップリンクチャネル及びダウンリンクチャネルを推定する際にＴＲＰをアシストすべく、ＵＥに受信ビーム情報を信号で伝えるＴＲＰで生じる例示的なオペレーションのフロー図を図示する。
【００４５】
【図８Ａ】本明細書で説明される例示的な実施形態による、ＳＲＳを信号で伝えるＵＥで生じる例示的なオペレーションのフロー図を図示する。
【００４６】
【図８Ｂ】本明細書で説明される例示的な実施形態による、ビーム情報適用ルールの適用を強調した、ＳＲＳを信号で伝えるＵＥで生じる例示的なオペレーションのフロー図を図示する。
【００４７】
【図９】本明細書で説明される例示的な実施形態による、例示的な通信システムを図示する。
【００４８】
【図１０Ａ】本開示による方法及び教示を実装し得る例示的なデバイスを図示する。
【図１０Ｂ】本開示による方法及び教示を実装し得る例示的なデバイスを図示する。
【００４９】
【図１１】本明細書で開示されるデバイス及び方法を実装するのに用いられ得るコンピューティングシステムのブロック図である。
【発明を実施するための形態】
【００５０】
例示的な実施形態の構造、製品、及び使用が以下で詳細に説明される。しかしながら、本開示は、多種多様な特定の状況において具現化され得る多数の適用可能な発明概念を提供することを理解されたい。説明される特定の実施形態は、実施形態を作成及び用いるための特定の構造及び方法の単なる例示であり、本開示の範囲を限定するものではない。
【００５１】
図１は、例示的な無線通信システム１００を図示する。通信システム１００は、カバレージエリア１０７を有するアクセスノード１０５を含む。アクセスノード１０５は、ＵＥ１１０及びＵＥ１１２を含む複数のユーザ機器（ＵＥ）にサービスを提供する。図１に示されるように、アクセスノード１０５は、ＵＥとダウンリンク接続（破線）及びアップリンク接続（一点鎖線）を確立する。ダウンリンク接続は、アクセスノード１０５からＵＥにデータを搬送し、アップリンク接続はＵＥからアクセスノード１０５にデータを搬送する。ダウンリンク接続又はアップリンク接続で搬送されるデータは、バックホールネットワーク１１５を経由してＵＥとサービス事業者（不図示）との間で通信されるデータを含み得る。無線アクセスが、例えば、第３世代パートナーシッププロジェクト（３ＧＰＰ）ロングタームエボリューション（ＬＴＥ）、ＬＴＥアドバンスト（ＬＴＥ−Ａ）、第５世代（５Ｇ）の新たな無線（ＮＲ）、高速パケットアクセス（ＨＳＰＡ）、ＩＥＥＥ８０２．１１等の１又は複数の無線通信プロトコルに従って提供され得る。通信システムは多数のＵＥと通信することが可能な複数のアクセスノードを採用してよいことが理解されるが、単純化するために、１個のアクセスノード及び２個のＵＥのみが図示される。
【００５２】
アクセスノードは、進化型ＮｏｄｅＢ（ｅＮＢ）、基地局、次世代（ＮＧ）ＮｏｄｅＢ（ｇＮＢ）、ＮｏｄｅＢ、マスターｅＮＢ（ＭｅＮＢ）、セカンダリｅＮＢ（ＳｅＮＢ）、マスターｇＮＢ（ＭｇＮＢ）、セカンダリｇＮＢ（ＳｇＮＢ）、リモート無線ヘッド、アクセスポイントを指してよく、一方で、ＵＥは、携帯電話、移動局、端末、加入者、ユーザ等を指してよい。送信ポイント（ＴＰ）は、送信信号を送信するデバイスであるとみなされてよく、受信ポイント（ＲＰ）は、送信信号を受信するデバイスであるとみなされてよい。単一のデバイスは、異なる送信信号の送信ポイント及び受信ポイントの両方であってよく、そのようなデバイスは、送信−受信ポイント（ＴＲＰ）と称される。アクセスノードは、ＴＲＰであり得る。いくつかの状況において、ＵＥはまた、ＴＲＰであり得る。
【００５３】
３ＧＰＰ  ＬＴＥ  通信システムにおいて、ＴＲＰがアップリンクチャネルの複雑なチャネル応答を推定し得るように、ＵＥはＴＲＰにサウンディング参照信号（ＳＲＳ）を送信し、その後、チャネルの相互関係を利用することによって、ダウンリンクチャネルの複雑なチャネル応答の推定値が決定され得る。推定されたチャネル応答が、ＵＥにダウンリンク送信信号を送信する、又はＵＥからアップリンク送信信号を受信するのに用いる通信ビームをＴＲＰで決定するのに用いられ得る。本明細書で用いられるように、用語通信ビームは、指向性信号又は受信に用いられる一連のビームフォーミングウェイト（例えば、アンテナアレイのアンテナ要素に対する振幅又は位相シフト）を指す。
【００５４】
３ＧＰＰ  ＬＴＥ  通信システムの場合とは異なり、ミリ波（ｍｍＷａｖｅ）通信システムにおけるビームフォーミングが、商業的に許容可能なレベルのスループット及びより高いキャリア周波数の範囲を実現すべく、概して、ＴＲＰ及びＵＥの両方によって実行され得る。したがって、ミリ波通信システムのＳＲＳ送信方式では、ＳＲＳサウンディングオーバーヘッドを減少させるべく、ＵＥ及びＴＲＰの両方によって用いられる通信ビームを識別する必要があり得る。
【００５５】
ビームは、コードブックベースのプリコーディングの状況における事前に定義された一連のビームフォーミングウェイト、又は非コードブックベースのプリコーディングの状況における動的に定義された一連のビームフォーミングウェイト（例えば、固有ベース（Ｅｉｇｅｎ−ｂａｓｅｄ）のビームフォーミング（ＥＢＢ））であり得る。ＵＥはコードブックベースのプリコーディングに依存してアップリンク信号を送信し、ダウンリンク信号を受信し得、一方で、ＴＲＰは特定の放射パターンを形成する非コードブックベースのプリコーディングに依存して、ダウンリンク信号を送信し、又はアップリンク信号を受信し得ることを理解されたい。
【００５６】
あらゆる可能な送信−受信通信ビームの組み合わせで単純にサウンディングすると、過度のＳＲＳサウンディングオーバーヘッドをもたらし、通信性能及び効率に悪影響を与えるだろう。単純なＳＲＳサウンディング技術によれば、ＵＥは、ＵＥに利用可能な一連の送信ビーム方向とは異なる送信ビーム方向に従って、ＳＲＳ送信を実行し、ＴＲＰは、ＴＲＰに利用可能な一連の受信ビーム方向とは異なる受信ビーム方向に従って、ビームフォーミングされたＳＲＳ送信をＵＥから受信する。送信ビームは、ＵＥ又はＴＲＰのような通信デバイスが、送信信号をビームフォーミングして、通信ビームに対応する方向に送信信号を向けるのに用いられる通信ビームである。受信ビームも同様であるが、受信機を通信ビームに対応する方向に向けるべく、通信デバイスによって用いられる。送信ビーム及び受信ビームが、それぞれのビーム方向における信号ゲインを増加させるのに用いられる。ＴＲＰは、受信されたＳＲＳ送信信号に基づいてアップリンクチャネルの複雑なチャネル応答を推定し、対応するダウンリンクチャネルの推定値を決定する。推定値は、どの通信ビームを用いてＴＲＰがダウンリンク信号を送信するか、及び、どのビーム方向を用いてＵＥがダウンリンク信号を受信するかを決定するかを決定するのに用いられ得る。
【００５７】
ミリ波通信システムにおけるチャネルが空間的に疎であること及び少数の空間方向のみが有効であることに留意されたい。高い伝搬損失に起因して、ｍｍＷａｖｅ通信ビームは簡単にブロックされ、反射された信号は、（１０−２５ｄＢオーダーの）高い反射損失及び余分な伝搬損失を受けて受信機に達する。したがって、ほとんどの状況において、デバイスに直接（又は略直接）向けられた通信ビームのみが、良好なスループットをサポートするのに十分に高い信号雑音比（ＳＮＲ）を有する。しかしながら、デバイスに直接向けられた通信ビームがブロックされる状況が存在する。そのような状況において、デバイスに直接向けられていないが、略直接向けられているビームが、最も良好なＳＮＲを有する場合がある。十分に高いＳＮＲを有する通信ビームが、有効な通信ビームと称される。
【００５８】
図２は、有効な通信ビームを強調した例示的な通信システム２００を図示する。通信システム２００は、ＵＥ２１０にサービスを提供するＴＲＰ２０５を含む。ＴＲＰ２０５は、一連の通信ビーム２１５を用いてビームフォーミングされた通信を実行し得る（一連の通信ビーム２１５の一部が図２に示される）。同様に、ＵＥ２１０は、一連の通信ビーム２２０を用いて通信する。一連の通信ビーム２１５及び一連の通信ビーム２２０において多数の利用可能な通信ビームが存在するが、ｍｍＷａｖｅチャネルの高い伝搬損失の性質に起因して、利用可能な通信ビームの一部のみが有効である。一例として、ＵＥ２１０に直接又は略直接に向けられているＴＲＰ通信ビーム＃Ｔ４  ２１６、ＴＲＰ通信ビーム＃Ｔ５  ２１７、及びＴＲＰ通信ビーム＃Ｔ６  ２１８のみが、有効な受信ビームである。一方で、ＴＲＰ２０５に直接又は略直接に向けられているＵＥ通信ビーム＃Ｕ１  ２２２、ＵＥ通信ビーム＃Ｕ２  ２２３、及びＵＥ通信ビーム＃Ｕ５  ２２１のみが、有効な送信ビームである。送信通信ビームと受信通信ビームのそれぞれの組み合わせは、送信ビーム−受信ビームの組み合わせ（ＴＲＢＣ）と称される。
【００５９】
有効な通信ビームの中でも、有効な通信ビームの可能なＴＲＢＣの一部のみが有効であることにさらに留意されたい。説明に役立つ例として、ＵＥ通信ビーム＃Ｕ１  ２２２及びＴＲＰ通信ビーム＃Ｔ５  ２１７の組み合わせが有効であり、ＵＥ通信ビーム＃Ｕ２  ２２３及びＴＲＰ通信ビーム＃Ｔ６  ２１８の組み合わせも同様に有効である。しかしながら、ＵＥ通信ビーム＃Ｕ５  ２２１及びＴＲＰ通信ビーム＃Ｔ６  ２１８の組み合わせは、これらの向きの不一致に起因して、有効でない場合がある。同様に、ＵＥ通信ビーム＃Ｕ２  ２２３及びＴＲＰ通信ビーム＃Ｔ４  ２１６の組み合わせは、有効でない場合がある。
【００６０】
それぞれのＴＲＰのＵＥリンクへのダウンリンクチャネルの十分な推定値を提供すべく、アップリンクＳＲＳが、時分割複信（ＴＤＤ）の通信システムで用いられて、ＴＲＰがチャネルの相互関係の仮定を用いてアップリンクチャネルからダウンリンクチャネルを推定することを可能にする。ＴＲＰは、その後、それぞれのＵＥに対して、非コードブックベースのシングルユーザ（ＳＵ）又はマルチユーザ（ＭＵ）多入力多出力（ＭＩＭＯ）ビームフォーミングを実行することを選択し得る。アップリンクのＳＲＳはまた、アップリンクＭＩＭＯをサポートすべく、アップリンクチャネル推定に用いられ得る。
【００６１】
ＵＥによってビームフォーミングされたＳＲＳを用いることに起因して、それぞれのＵＥが、ビームフォーミングされた信号をそれぞれの空間方向に送信し、ＴＲＰが全ての空間方向で受信するのに、非常に時間（及びリソース）がかかる場合がある。ここで、参照により本明細書に組み込まれている、２０１６年４月２７日に出願され、「セルラー方式の時分割複信（ＴＤＤ）ｍｍＷａｖｅシステムのサウンディング参照信号（ＳＲＳ）設計（Ｓｏｕｎｄｉｎｇ  Ｒｅｆｅｒｅｎｃｅ  Ｓｉｇｎａｌ  （ＳＲＳ）  Ｄｅｓｉｇｎ  ｆｏｒ  Ｃｅｌｌｕｌａｒ  Ｔｉｍｅ  Ｄｉｖｉｓｉｏｎ  Ｄｕｐｌｅｘ  （ＴＤＤ）  ｍｍＷａｖｅ  Ｓｙｓｔｅｍｓ）」と題する特許出願番号第１５／１３９，９８７号である共同譲渡された米国特許出願において、ＵＥが、ダウンリンク測定に基づいて最も適切なアップリンクビーム方向を決定することを可能にすることによって、ＳＲＳサウンディングオーバーヘッドを減少させるための技術が提供される。
【００６２】
図３は、共同譲渡された米国特許出願第１５／１３９，９８７号で開示された技術の要約を提供する例示的な通信システム３００を図示する。通信システム３００は、ＵＥ３１０にサービスを提供するＴＲＰ３０５を含む。ＴＲＰ３０５は、複数の無線周波数（ＲＦ）チェーンを含み、それぞれＲＦチェーンは、一連の通信ビームを用いて通信する。一例として、第１のＴＲＰ  ＲＦチェーンは、一連の第１の通信ビーム３１５を用いて通信し、第２のＴＲＰ  ＲＦチェーンは、一連の第２の通信ビーム３１７を用いて通信する。同様に、ＵＥ３１０は、複数のＲＦチェーンを含み、それぞれのＲＦチェーンは、一連の通信ビームを用いて通信する。一例として、第１のＵＥ  ＲＦチェーンは、一連の第１の通信ビーム３２０を用いて通信し、第２のＵＥ  ＲＦチェーンは、一連の第２の通信ビーム３２２を用いて通信する。共同譲渡された米国特許出願第１５／１３９，９８７号で開示されるように、ＵＥ３１０は、ダウンリンク測定及びＵＥ３１０に割り振られたＳＲＳリソースに基づいて、ビームフォーミングされたＳＲＳを送信するためにどのビーム方向を選択するかを決定する。ＴＲＢＣを減少させることによって、ＳＲＳサウンディングと関連付けられているオーバーヘッドを減少させる。
【００６３】
また、共同譲渡された米国特許出願第１５／１３９，９８７号に示されるのは、ＴＲＰがそれぞれのＳＲＳサウンディング機会をリッスンするためにどの受信ビームを用いることになるかについてＴＲＰがＵＥに通知することを含む技術である。受信ビーム情報は、ＳＲＳ設定パラメータであり、ＴＲＰが受信ビームに関してＵＥに通知することは、ＴＲＰがそれぞれのＳＲＳサウンディング機会に対して、その利用可能な受信ビームの全てを用いる必要はないことを意味する。一例として、ＴＲＰは、ＴＲＰが特定のＳＲＳサウンディング機会の間、リッスンするために用いる受信ビームに対応する１又は複数のビームインデックスのリストを送信する。１又は複数のビームインデックスのリストは、１又は複数のＳＲＳリソースの識別子、時間ドメインの挙動、ポートの数、直交周波数分割多重（ＯＦＤＭ）のシンボルの数、ＳＲＳ帯域幅、及び周波数ホッピング帯域幅等を含む他のＳＲＳ設定パラメータ又はそれらの情報と共に、媒体アクセス制御（ＭＡＣ）制御要素（ＣＥ）メッセージ若しくは無線リソース制御（ＲＲＣ）メッセージ、又はＭＡＣ  ＣＥ及びＲＲＣメッセージの両方の組み合わせで制御情報の形式でＵＥに送信される。制御情報は、ダウンリンク制御情報（ＤＣＩ）メッセージでさらに送信され得る。
【００６４】
一実施形態において、受信ビーム情報は、暗黙のうちに信号で伝えられる。一例として、メッセージのタイプが、暗黙のうちに受信ビーム情報を信号で伝えるのに用いられる。ＴＲＰによって送信されたメッセージの第１のメッセージタイプが、ＳＲＳ送信信号を受信すべく、ＴＲＰによって用いられる受信ビームに関する情報を伝達するのに用いられてよく、一方で、メッセージの第２のメッセージタイプが、受信ビームが変化したという情報を伝達するのに用いられてよい。例えば、４つのメッセージタイプが利用可能であってよく、メッセージタイプとＴＲＰによって用いられる４つの受信ビームのうちの１つとの間の１対１の対応が存在する。受信ビームに関する情報がＵＥに伝達された後、メッセージタイプが、受信ビームに対する変化に関する情報を伝達するのに用いられ得る。他の例として、メッセージの第２のメッセージタイプが、ＴＲＰによって用いられる受信ビームが第１のメッセージタイプに対して変化した、という情報を伝達するのに用いられ得る。さらに他の例として、メッセージの第２のメッセージタイプが、ＴＲＰによって用いられる受信ビームに対する永続性のウィンドウの存在に関する情報を伝達するのに用いられ得る。メッセージタイプが、以下で説明される永続性のインジケータと同様の方法で用いられ得る。
【００６５】
図４Ａは、第１のシナリオを強調した例示的な通信システム４００を図示する。ここで、ＴＲＰは、全ての利用可能な受信ビームをＳＲＳ受信に用いる。通信システム４００は、ＵＥ４１０にサービスを提供するＴＲＰ４０５を含む。図４Ａに示されるように、ＴＲＰ４０５は、受信ビームＲ＿１  ４１５、受信ビームＲ＿２  ４１７及び受信ビームＲ＿９  ４１９等の全ての利用可能な受信ビームをＳＲＳ受信に用いる。ＵＥ４１０は、ＴＲＰ４０５によって、例えば、２つのＳＲＳリソースでＳＲＳを送信するよう構成されている。第１のＳＲＳリソースについて、ＵＥ４１０は、送信ビームＵ＿１  ４２０を用いてＳＲＳを送信し、第２のＳＲＳリソースについて、ＵＥ４１０は、送信ビームＵ＿２  ４２２を用いてＳＲＳを送信する。ＴＲＰ４０５は、両方のＳＲＳリソースの全ての受信ビームでリッスンしているので、Ｕ＿１  ４２０及びＵ＿２  ４２２のサウンディングの順序は、重要でないことに留意されたい。
【００６６】
図４Ｂは、第２のシナリオを強調した例示的な通信システム４５０を図示する。ここで、ＴＲＰは、利用可能な受信ビームの一部をＳＲＳ受信に用いる。通信システム４５０は、ＵＥ４６０にサービスを提供するＴＲＰ４５５を含む。図４Ｂに示されるように、ＴＲＰ４５５は、第１のＳＲＳリソースに受信ビームＲ＿３  ４６５を、第２のＳＲＳリソースに受信ビームＲ＿７  ４６７を用いる。ＵＥ４６０は、ＴＲＰ４５５によって、例えば、２つのＳＲＳリソースでＳＲＳを送信するよう構成されている。第１のＳＲＳリソースについて、ＵＥ４６０は、送信ビームＵ＿１  ４７０を用いてＳＲＳを送信し、第２のＳＲＳリソースについて、ＵＥ４６０は、送信ビームＵ＿２  ４７２を用いてＳＲＳを送信する。ＴＲＰ４５５はＳＲＳリソースをリッスンするのに全ての受信ビームを用いてないので、Ｕ＿１  ４７０及びＵ＿２  ４７２のサウンディングの順序付けは、重要であり得る。順序付けが間違っている場合、ＴＲＰ４５５は、準最適の受信ビームでＳＲＳリソースをリッスンし得る。したがって、ＵＥ４６０は、それぞれのＳＲＳリソースにどの受信ビームがＴＲＰ４５５によって用いられるかを認識して、それに応じて送信ビームを選択する必要があり得る。異なるＳＲＳリソースが、同一のＵＥポートと異なるビーム方向に、又は異なるＵＥポートに用いられ得ることに留意されたい。ＴＲＰ４５５がいつでも単一の受信ビームを用いてＳＲＳリソースをリッスンすることが示されているが、能力のあるＴＲＰは、いつでも複数の受信ビームでＳＲＳリソースをリッスンし得る。
【００６７】
ここで、参照により本明細書に組み込まれている、中国、２０１７年５月に「ＳＲＳ  ＴＸビームのＷＦの決定（ＷＦ  ｏｎ  ＳＲＳ  ＴＸ  Ｂｅａｍ  Ｄｅｔｅｒｍｉｎａｔｉｏｎ）」と題する、３ＧＰＰ  ＴＳＧ−ＲＡＮ  ＷＧ１  ＃８９の文書Ｒ１−１７０９３７６は、ＣＳＩ取得及びビーム管理のＳＲＳ送信ビームフォーミングに対する２つのサポートされた代替手段が存在することを開示する。第１の代替手段において、ＵＥは、ＴＲＰに透過的な送信ビームフォーミングをＳＲＳに適用する（例えば、ＵＥは、それぞれのＳＲＳポート又はリソースに対して送信ビームを決定する）。第２の代替手段において、ＴＲＰは、（例えば、１又は複数のビットの情報の形式で）情報をＵＥに提供する。
【００６８】
例示的な実施形態によれば、ＴＲＰは、それぞれの割り当てられたＳＲＳリソースに用いられた１つの受信ビーム又は複数の受信ビームに関する情報を伝達する。ＴＲＰは、それぞれのＳＲＳリソースに対するＳＲＳ設定で、（複数の）受信ビームに関する情報を送信し得る。説明に役立つ例として、ＴＲＰは、（複数の）受信ビームの方向と同一の空間フィルタリングを用いたダウンリンク参照信号リソースに関する情報を伝達し得る。ＴＲＰによって用いられるＴＲＰ受信ビームに関するＳＲＳ設定の一部が、ＴＲＰによってＵＥに伝達される技術の例が、ここで、参照により本明細書に組み込まれている２０１７年６月の「ビーム管理及びＣＳＩ取得のＵＬ  ＳＲＳ設計（ＵＬ  ＳＲＳ  Ｄｅｓｉｇｎ  ｆｏｒ  Ｂｅａｍ  Ｍａｎａｇｅｍｅｎｔ  ａｎｄ  ＣＳＩ  Ａｃｑｕｉｓｉｔｉｏｎ）」と題する、３ＧＰＰ  ＴＳＧ−ＲＡＮ  ＷＧ１  Ａｄ  Ｈｏｃ  Ｍｅｅｔｉｎｇの文書Ｒ１−１７０９９３６に示されている。
【００６９】
それぞれの割り当てられたＳＲＳリソースに用いられる（複数の）受信ビームに関する情報を受信するＵＥは、伝達されたダウンリンク参照信号リソースの測定から、それぞれの割り当てられたＳＲＳリソースに対して、関連する（複数の）送信ビーム（又は（複数の）送信ビーム方向）を決定することが可能であり得る。
【００７０】
（複数の）受信ビームに関する情報を伝達するのに必要とされるオーバーヘッドは、以下の場合に高くなり得る。
−ＴＲＰがｉ）ＳＲＳリソースごとに複数の受信ビームで受信するとき、ｉｉ）ＳＲＳリソースごとに受信ビームの群で受信するとき、又はｉｉｉ）ＳＲＳリソースごとに全ての受信ビームで受信するとき、ダウンリンク参照信号リソースの情報を伝達することと関連付けられているオーバーヘッドが高くなり得る。
−ＴＲＰが１つのＵＥに複数のＳＲＳリソースを設定し、それぞれの割り当てられたＳＲＳリソースに受信ビームの同一セットを用いることを選択するとき、受信ビームの同一セットを繰り返し信号で伝えることは、リソースを不必要に消費し得る。
【００７１】
例示的な実施形態によれば、受信ビーム情報適用ルールが、受信ビーム情報を決定することの基礎を提供するのに用いられる。受信ビーム情報適用ルールは、ＵＥが、現在の受信ビーム情報、過去の受信ビーム情報、受信ビーム情報の欠如、又はこれらの組み合わせから受信ビーム情報を決定することを可能にし、その結果、受信ビーム情報は、それぞれ割り当てられたＳＲＳリソースの関連する（複数の）送信ビーム（又は（複数の）送信ビーム方向）を決定するために、ＵＥに常に利用可能である。
【００７２】
受信ビーム情報適用ルールの例には、以下のことが含まれる。
ａ）受信ビーム情報が（ＳＲＳ設定又は別の方法を介して）ＵＥに信号で伝えられない又はＵＥによって受信されない場合、ＴＲＰがそれぞれのＳＲＳリソースを全ての受信ビームでリッスンしていることが、ＵＥに示唆される。
ｂ）（ダウンリンク参照信号リソース又は別の方法を介して）受信ビーム情報がＳＲＳリソースの初期セットに対する初期のＳＲＳ設定でＵＥに信号で伝えられ又はＵＥによって受信されるが、（時間又は周波数の）ＳＲＳリソースの後続の（複数の）セットに対する受信ビーム情報が後続のＳＲＳ設定で受信されない場合、暗黙のうちに情報（又は信号で伝えることを必要としないルール）を伝達する２つの可能な方法が存在する。
−ＴＲＰは、ＳＲＳリソースの初期セットに用いられるのと同じ受信ビームをＳＲＳリソースの後続の（複数の）セットに用いている。ＴＲＰが、ＳＲＳリソースの初期セットに用いられる受信ビームと空間的に疑似コロケーション（ＱＣＬ）される受信ビームを用いている代替手段が存在する。空間的なＱＣＬビームが、ここで、参照により本明細書に組み込まれている２０１７年６月１６日に出願された「通信ビームリカバリのシステム及び方法」と題する、共同譲渡された米国仮特許出願番号第６２／５２１，１１０号で詳細に説明される。
−ＴＲＰは、ＳＲＳリソースの後続の（複数の）セットでそれぞれのＳＲＳリソースに全ての受信ビームを用いている。
【００７３】
受信ビーム適用ルールの代替例には、以下のことが含まれる。
ａ'）受信ビーム情報が（ＳＲＳ設定又は別の方法を介して）ＵＥに信号で伝えられない又はＵＥによって受信されない場合、ＴＲＰがそれぞれのＳＲＳリソースの全ての受信ビームでリッスンしていることがＵＥに示唆される。
ｂ'）（ダウンリンク参照信号リソース又は別の方法を介して）受信ビーム情報がＳＲＳリソースの初期セットに対する初期のＳＲＳ設定でＵＥに信号で伝えられ又はＵＥによって受信されるが、（時間又は周波数の）ＳＲＳリソースの後続の（複数の）セットに対する受信ビーム情報が後続のＳＲＳ設定で受信されない場合、暗黙のうちに情報（又は信号で伝えることを必要としないルール）を伝達する２つの可能な方法が存在する。
−ＴＲＰは、ＳＲＳリソースの初期セットに用いられるのと同じ受信ビームをＳＲＳリソースの後続の（複数の）セットに用いている。ＴＲＰが、ＳＲＳリソースの初期セットに用いられる受信ビームと空間的に疑似コロケーション（ＱＣＬ）される受信ビームを用いている代替手段が存在する。
−ＴＲＰは、ＳＲＳリソースの後続の（複数の）セットでそれぞれのＳＲＳリソースに全ての受信ビームを用いている。
ここで、受信ビーム情報は、ＴＲＰの受信ビームが（以前に伝達されたものと）同一である場合、全ての受信ビームが用いられる場合、又は、前のリソースに関連する変化が発生した場合に、ＵＥに伝達するマルチビットの継続インジケータ（例えば、他の値が可能であるが、２ビット又はそれ以上のビット）を含む。
【００７４】
マルチビットの継続インジケータの例には、以下のことが含まれる。
−第１の値（例えば、「００」）は、ＴＲＰが以前に伝達されたものと同じ受信ビームを用いていることを伝達する。代替的に、ＴＲＰは、以前に伝達された受信ビームと空間的にＱＣＬである受信ビームを用いている。
−第２の値（例えば、「０１」）は、ＴＲＰがダウンリンク参照信号リソースの増加に対応する受信ビームを用いていることを伝達する。追加ビットは、増加量を伝達するのに用いられてよく、そうでなければ、増加は、（例えば）１である。一例として、増加量が、（増加量が２であることを伝達するようバイナリ「１０」のように）指定されてよく、又は、増加量のインデックスが、（増加量が第３のインデックスに対応する値に等しいことを伝達するようバイナリ「１０」のように）指定されてよい。
−第３の値（例えば、「１０」）は、ＴＲＰがダウンリンク参照信号リソースの減少に対応する受信ビームを用いていることを伝達する。追加ビットは、減少量を伝達するのに用いられてよく、そうでなければ、減少は、（例えば）１である。一例として、減少量は、（減少量が２であることを伝達するようバイナリ「１０」のように）指定されてよく、又は、減少量のインデックスが、（減少量が第３のインデックスに対応する値に等しいことを伝達するようバイナリ「１０」のように）指定されてよい。
−第４の値（例えば、「１１」）は、ＴＲＰが全ての受信ビームを用いていることを伝達する。２ビットの継続インジケータが示されるが、他のビット長も可能である。
【００７５】
図５は、受信ビーム情報を信号で伝える継続インジケータの使用を強調した図５００を図示する。図５に示されるように、最初の時点で、ＳＲＳリソースＩ  ５０５について、ＴＲＰは、ダウンリンク参照信号リソースを用いて受信ビーム情報を伝達する、すなわち、ＴＲＰは、ＳＲＳ設定で十分な受信ビーム情報を信号で伝えている。後続の時点で、ＳＲＳリソースＩ＋Ｘ  ５１０について、ＳＲＳリソースＩ  ５０５に関して十分な受信ビーム情報を信号で伝える代わりに、ＴＲＰは、ＳＲＳ設定で第１の継続インジケータを信号で伝える。同様に、他の時点で、ＳＲＳリソースＩ＋Ｙ  ５１５について、ＴＲＰは、ＳＲＳ設定で他の継続インジケータを信号で伝える。したがって、これらの時点で、ＴＲＰは、継続インジケータのみを信号で伝えることによって、信号で伝えるオーバーヘッドを減少させることが可能である。さら他の時点で、ＳＲＳリソースＺ  ５２０について、ＴＲＰは、ダウンリンク参照信号リソースを用いて受信ビーム情報を伝達する、すなわち、ＴＲＰは、ＳＲＳ設定で十分な受信ビーム情報を信号で伝える。
【００７６】
受信ビーム適用ルールのさらなる代替例には、以下のことが含まれる。
ａ''）受信ビーム情報が（ＳＲＳ設定又は別の方法を介して）ＵＥに信号で伝えられない又はＵＥによって受信されない場合、ＴＲＰがそれぞれのＳＲＳリソースの全ての受信ビームでリッスンしていることがＵＥに示唆される。
ｂ''）（ダウンリンク参照信号リソース又は別の方法を介して）受信ビーム情報がＳＲＳリソースの初期セットに対する初期のＳＲＳ設定でＵＥに信号で伝えられ又はＵＥによって受信されるが、（時間又は周波数の）ＳＲＳリソースの後続の（複数の）セットに対する受信ビーム情報が後続のＳＲＳ設定で受信されない場合、暗黙のうちに情報（又は信号で伝えることを必要としないルール）を伝達する２つの可能な方法が存在する。
−ＴＲＰは、ＳＲＳリソースの初期セットに用いられるのと同じ受信ビームをＳＲＳリソースの後続の（複数の）セットに用いている。ＴＲＰが、ＳＲＳリソースの初期セットに用いられる受信ビームと空間的に疑似コロケーション（ＱＣＬ）される受信ビームを用いている代替手段が存在する。
−ＴＲＰは、ＳＲＳリソースの後続の（複数の）セットでそれぞれのＳＲＳリソースに全ての受信ビームを用いている。
ここで、ＳＲＳリソースで伝達されるような、受信ビーム情報は、本質的に半永続性である。言い換えれば、いくつかのリソース、いくつかのＳＲＳリソースだけでなく、受信ビーム情報が、永続性のインジケータが受信される等までの期間の間有効である。永続性のインジケータは、例えば、いくつかのリソース及びいくつかのＳＲＳリソースだけでなく、受信ビーム情報が有効であることを伝達する第１の値、並びに、いくつかのリソース及びいくつかのＳＲＳリソースだけでなく、受信ビーム情報がもはや有効でないことを伝達する第２の値を有する１又は複数のビット長さのビット列であり得る。期間又はいくつかのリソースは、技術標準、通信システムのオペレータ、ＴＲＰ及びＵＥによって合意したもの、又はＴＲＰによって示されるものによって、指定され得る。期間又はいくつかのリソースは、永続性のインジケータによって伝達され得る。永続性のインジケータは、技術標準、通信システムのオペレータ、ＴＲＰ及びＵＥによって合意したもの、又はＴＲＰによって伝達されるものによって指定され得る。
【００７７】
図６は、半永続性の受信ビーム情報の使用を強調した図６００を図示する。図６に示されるように、最初の時点で、ＳＲＳリソースＩ  ６０５について、ＴＲＰは、ダウンリンク参照信号リソースを用いて受信ビーム情報を伝達する、すなわち、ＴＲＰは、ＳＲＳ設定で十分な受信ビーム情報を信号で伝えている。図６００に示されるように、受信ビーム情報は、３つのＳＲＳリソースに有効である。したがって、第２の時間で（ＳＲＳリソースＩ＋１  ６１０について）及び第３の時間で（ＳＲＳリソースＩ＋２  ６１５について）、ＴＲＰは、任意の形式の受信ビーム情報を信号で伝えなくてよい。第４の時間で、ＳＲＳリソースＩ＋３  ６２０について、ＳＲＳリソースＩ  ６０５について信号で伝えられた受信ビーム情報がもはや有効でないので、ＴＲＰが受信ビーム情報を信号で伝える。図６に示されるように、ＴＲＰは、十分な受信ビーム情報を信号で伝える。しかしながら、ＴＲＰはまた、以前に説明されたように、継続インジケータを信号で伝え得る。
【００７８】
考察がいくつかのＳＲＳリソースに有効である受信ビーム情報に集中するが、受信ビーム情報はまた、永続性のインジケータが受信される等までの指定された期間の間有効であり得る。したがって、いくつかのＳＲＳリソースに基づく有効性の考察は、例示的な実施形態の範囲又は趣旨のいずれかに制限するものとして解釈されるべきでない。
【００７９】
例示的な実施形態によれば、ＳＲＳリソースをリッスンするのに用いられる受信ビームの群を信号で伝えるオーバーヘッドを減少させるべく、ＴＲＰの受信ビームの群が、信号で伝えられたダウンリンク参照信号リソースと同一の空間方向にマッピングされる。言い換えれば、受信ビームの群が、ＳＲＳリソースをリッスンするのに用いられるとき、受信ビームの群が、単一のダウンリンク参照信号リソースを用いて伝達され得る。しかしながら、受信ビームの群が、単一のダウンリンク参照信号リソースによって伝達された方向と異なる場合、他のビーム群のインジケータが用いられ得る。それらには、以下のことが含まれる。
−前のアップリンク参照のみの送信信号（例えば、前のＳＲＳ）で用いられた受信ビームの群が、アップリンク参照リソースインジケータとしてＵＥに信号で伝えられ得る。アップリンク参照リソースインジケータは、例えば、１又は複数のビット長さのビット列であり得る。
−前のアップリンクデータ送信を受信するのに用いられた受信ビームの群が、アップリンク復調参照信号（ＤＭＲ）インジケータとしてＵＥに信号で伝えられ得る。ＤＭＲＳインジケータは、例えば、１又は複数のビット長さのビット列であり得る。ビームごとに１つのアップリンクＤＭＲリソースが存在し得るので、受信ビームのそれぞれの群に対して複数のインジケータが存在し得る。
−前のダウンリンクデータ送信信号と同一の空間フィルタリングを有する受信ビームの群が、ＵＥに信号で伝えられ得る。例えば、信号で伝えることは、ダウンリンクＤＭＲＳインジケータとして信号で伝えられ得る。ビームごとに１つのダウンリンクＤＭＲリソースが存在し得るので、受信ビームのそれぞれの群に対して複数のインジケータが存在し得る。
【００８０】
図７は、ＴＲＰとＵＥとの間のダウンリンクチャネルを推定する際にＴＲＰをアシストすべく、ＵＥに受信ビーム情報を信号で伝えるＴＲＰで生じる例示的なオペレーション７００のフロー図を図示する。オペレーション７００は、ＴＲＰとＵＥとの間のダウンリンクチャネルを推定する際にＴＲＰをアシストすべく、ＴＲＰがＵＥに受信ビーム情報を信号で伝えるときに、ＴＲＰで生じるオペレーションを示し得る。
【００８１】
オペレーション７００は、ＴＲＰがＵＥのＳＲＳリソースを設定することから始まる（ブロック７０５）。ＴＲＰは、オプションで、ＳＲＳリソースのそれぞれの受信ビーム又は継続インジケータを設定する（ブロック７０７）。ＴＲＰは、ＵＥにＳＲＳ設定を信号で伝える（ブロック７０９）。ＴＲＰは、オプションで、ＴＲＰの受信ビーム設定又は継続インジケータを信号で伝える（ブロック７１１）。ＴＲＰは、設定された受信ビームを用いてＳＲＳリソース上でＳＲＳを受信する（ブロック７１３）。ＴＲＰは、受信されたＳＲＳに従って、ＵＥとＴＲＰとの間のアップリンクチャネルを推定する（ブロック７１５）。ＴＲＰは、アップリンクチャネルの推定値に従って、ＴＲＰとＵＥとの間ダウンリンクチャネルを推定する（ブロック７１７）。一例として、ＴＲＰは、チャネルの相互関係を用いて、アップリンクチャネルの推定値からダウンリンクチャネルを推定する。
【００８２】
図８Ａは、ＳＲＳを信号で伝えるＵＥで生じ例示的なオペレーション８００のフロー図を図示する。オペレーション８００は、ＵＥがＳＲＳを信号で伝えるときに、ＵＥで生じるオペレーションを示し得る。オペレーション８００は、ＵＥがＳＲＳを信号で伝えるときに、ＵＥで発生するオペレーションの高レベルのビューを示し得る。
【００８３】
オペレーション８００は、ＵＥがＳＲＳ設定を受信することから始まる（ブロック８０５）。ＵＥは、ＳＲＳを送信する（複数の）送信ビームを決定する（ブロック８０７）。ＵＥは、ＵＥによって行われたダウンリンク測定、ＳＲＳ設定で受信されたＴＲＰ受信ビーム情報、ビーム情報適用ルール、又はこれらの組み合わせから（複数の）送信ビームを決定し得る。代替的に、ＵＥは、ＵＥによって行われたダウンリンク測定、ＳＲＳ設定におけるＴＲＰ受信ビーム情報の欠如から（複数の）送信ビームを決定し得る。ＵＥは、（複数の）送信ビームを用いて（複数の）ＳＲＳリソースでＳＲＳを送信する（ブロック８０９）。
【００８４】
図８Ｂは、本明細書で示されるビーム情報適用ルールの適用を強調した、ＳＲＳを信号で伝えるＵＥで生じる例示的なオペレーション８５０のフロー図を図示する。オペレーション８５０は、ＵＥがＳＲＳを信号で伝えるときに、ＵＥで生じるオペレーションを示し得る。オペレーション８５０は、ＵＥがＳＲＳを信号で伝えるときに、ＵＥで発生するオペレーションの詳細レベルのビューを示し得る。
【００８５】
オペレーション８５０は、ＵＥがＳＲＳ設定を受信することから始まる（ブロック８５５）。ＵＥは、ＴＲＰ受信ビーム情報がＳＲＳ設定で受信されたかどうかを決定するようチェックを実行する（ブロック８５７）。ＴＲＰ受信ビーム情報が受信された場合、ＵＥは、ＴＲＰ受信ビーム情報に従ってその送信ビームを決定し（ブロック８５９）、送信ビームを用いてＳＲＳ設定に従ってＳＲＳを信号で伝える（ブロック８６１）。
【００８６】
ＴＲＰ受信ビーム情報が受信されない場合、ＵＥは、ＴＲＰ受信ビーム情報が永続性のウィンドウ内の前の受信で受信されたかどうかを決定するようチェックを実行する（ブロック８６３）。永続性のウィンドウは、時間ベース、リソースベース、特定の開始又は停止命令ベース等であり得る。永続性のウィンドウは、技術標準、通信システムのオペレータによって、指定された値であり得る。代替的に、永続性のウィンドウは、１又は複数の永続性のインジケータによって詳細に説明される。ＴＲＰ受信ビーム情報が永続性のウィンドウ内で受信された場合、ＵＥは、ビーム情報適用ルールを用いて送信ビームを決定する（ブロック８６５）。ＵＥは、オプションで、（受信された場合）継続インジケータで伝達される情報を用いて送信ビームを調整する（ブロック８６７）。説明に役立つ例として、継続インジケータが、ＴＲＰが同じ受信ビームを用いていることを伝達する場合、ＵＥは、送信ビームに調整を行う必要はない。他の説明に役立つ例として、継続インジケータが、ＴＲＰが増加したダウンリンク参照信号リソースに対応する受信ビームを用いていることを伝達する場合、ＵＥは、その送信ビームを、増加したダウンリンク参照信号リソースと関連付けられているＴＲＰ受信ビームに対応する送信ビームに調整する。他の説明に役立つ例として、継続インジケータが、ＴＲＰが減少したダウンリンク参照信号リソースに対応する受信ビームを用いていることを伝達する場合、ＵＥは、その送信ビームを、減少したダウンリンク参照信号リソースと関連付けられているＴＲＰ受信ビームに対応する送信ビームに調整する。さら他の説明に役立つ例として、継続インジケータが、ＴＲＰが全ての受信ビームを用いていることを伝達する場合、ＵＥは、その送信ビームを、全てのＴＲＰ受信ビームに対応する送信ビーム又はＴＲＰ受信ビームに対して有効である送信ビームに調整する。ＵＥは、送信ビームを用いてＳＲＳ設定に従ってＳＲＳを送信する（ブロック８６１）。
【００８７】
ＴＲＰ受信ビーム情報が永続性のウィンドウ内に受信されない場合、ＵＥは、ＴＲＰの全ての受信ビームがＳＲＳリソースをリッスンするのに用いられる、という仮定に基づいて送信ビームを決定し（ブロック８６９）、送信ビームを用いてＳＲＳ設定に従ってＳＲＳを信号で伝える（ブロック８６１）。
【００８８】
図８Ｂに図示されたオペレーションが、本明細書で示された例示的なビーム情報適用ルールに基づいていること、及び他の例示的なビーム情報適用ルールは、異なるオペレーション又は異なるオペレーションのシーケンスをもたらすことに留意されたい。したがって、図８Ｂに図示されたオペレーションは、例示的な実施形態の範囲又は趣旨のいずれに制限するものとして解釈されるべきでない。
【００８９】
図９は、例示的な通信システム９００を図示する。概して、システム９００は、複数の無線又は有線ユーザがデータ及び他のコンテンツを送信及び受信することを可能にする。システム９００は、符号分割多元接続（ＣＤＭＡ）、時間分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）、又は非直交多元接続（ＮＯＭＡ）のような、１又は複数のチャネルアクセス方法を実装し得る。
【００９０】
この例において、通信システム９００は、電子デバイス（ＥＤ）９１０ａ−９１０ｃ、無線アクセスネットワーク（ＲＡＮ）９２０ａ−９２０ｂ、コアネットワーク９３０、公衆交換電話網（ＰＳＴＮ）９４０、インターネット９５０及び他のネットワーク９６０を含む。特定の数のこれらの構成要素又は要素が図９に示されるが、任意の数のこれらの構成要素又は要素が、システム９００に含まれ得る。
【００９１】
ＥＤ９１０ａ−９１０ｃは、システム９００で動作又は通信するよう構成される。例えば、ＥＤ９１０ａ−９１０ｃは、 無線又は有線通信チャネルを介して送信又は受信するよう構成される。ＥＤ９１０ａ−９１０ｃのそれぞれは、任意の適切なエンドユーザデバイスを表し、ユーザ機器／デバイス（ＵＥ）、無線送信／受信ユニット（ＷＴＲＵ）、移動局、固定又は移動加入者ユニット、携帯電話、携帯情報端末（ＰＤＡ）、スマートフォン、ラップトップ、コンピュータ、タッチパッド、無線センサ又は家庭用電子機器のようなデバイスを含み得る（又はそのように称され得る）。
【００９２】
ＲＡＮ９２０ａ−９２０ｂは、ここで、それぞれ基地局９７０ａ−９７０ｂを含む。それぞれの基地局９７０ａ−９７０ｂは、コアネットワーク９３０、ＰＳＴＮ９４０、インターネット９５０、又は他のネットワーク９６０へのアクセスを可能にすべく、１又は複数のＥＤ９１０ａ−９１０ｃとインタフェースで無線接続するよう構成される。例えば、基地局９７０ａ−９７０ｂは、ベーストランシーバ基地局（ＢＴＳ）、ＮｏｄｅＢ（ＮｏｄｅＢ）、進化型ＮｏｄｅＢ（ｅＮｏｄｅＢ）、次世代ＮｏｄｅＢ（ｇＮＢ）、ホームＮｏｄｅＢ、ホームｅＮｏｄｅＢ、サイトコントローラ、アクセスポイント（ＡＰ）又は無線ルータのような、１又は複数のいくつかのの公知のデバイスを含み得る（であり得る）。ＥＤ９１０ａ−９１０ｃは、インターネット９５０とインタフェースで接続して通信するよう構成され、コアネットワーク９３０、ＰＳＴＮ９４０、又は他のネットワーク９６０にアクセスし得る。
【００９３】
図９に示される実施形態において、基地局９７０ａは、他の基地局、要素、又はデバイスを含み得るＲＡＮ９２０ａの一部を形成する。また、基地局９７０ｂは、他の基地局、要素、又はデバイスを含み得るＲＡＮ９２０ｂの一部を形成する。それぞれの基地局９７０ａ−９７０ｂは、特定の地域又はエリア内で無線信号を送信又は受信するよう動作し、「セル」と称されることもある。いくつかの実施形態において、それぞれセルに複数の送受信機を有する多入力多出力（ＭＩＭＯ）技術が採用され得る。
【００９４】
基地局９７０ａ−９７０ｂは、無線通信リンクを用いる１又は複数の無線インタフェース９９０を通じて１又は複数のＥＤ９１０ａ−９１０ｃと通信する。無線インタフェース９９０は、任意の適切な無線接続技術を利用し得る。
【００９５】
システム９００は、上記で説明されたような方式を含む、複数のチャネルアクセス機能を用いてよいと考えられる。特定の実施形態において、基地局及びＥＤは、ＬＴＥ、ＬＴＥ−Ａ、ＬＴＥ−Ｂ、ＬＴＥ−Ｃ又は５Ｇ  ＮＲを実装する。もちろん、他の多重アクセス方式及び無線プロトコルが利用され得る。
【００９６】
ＲＡＮ９２０ａ−９２０ｂは、コアネットワーク９３０と通信して、音声、データ、アプリケーション、ボイスオーバーインターネットプロトコル（ＶｏＩＰ）、又は他のサービスをＥＤ９１０ａ−９１０ｃに提供する。当然のことだが、ＲＡＮ９２０ａ−９２０ｂ又はコアネットワーク９３０は、１又は複数の他ＲＡＮ（不図示）と直接又は間接に通信し得る。コアネットワーク９３０はまた、（ＰＳＴＮ９４０、インターネット９５０及び他のネットワーク９６０のような）他のネットワークのゲートウェイアクセスとしてサービスを提供し得る。加えて、ＥＤ９１０ａ−９１０ｃのうちのいくつか又は全ては、異なる無線技術又はプロトコルを用いる異なる無線リンクを通じて、異なる無線ネットワークと通信する機能を含み得る。無線通信の代わりに（又はこれに加えて）、ＥＤは、サービスプロバイダー又はスイッチ（不図示）に、及びインターネット９５０に有線通信チャネルを介して通信し得る。
【００９７】
図９は、通信システムの１つの例を図示するが、様々な変更が図９に行われ得る。例えば、通信システム９００は、任意の適切な構成で、任意の数のＥＤ、基地局、ネットワーク又は他の構成要素を含み得る。
【００９８】
図１０Ａ及び図１０Ｂは、本開示による方法及び教示を実装し得る例示的なデバイスを図示する。特に、図１０Ａは、例示的なＥＤ１０１０を図示し、図１０Ｂは、例示的な基地局１０７０を図示する。これらの構成要素は、システム９００又は任意の他の適切なシステムに用いられ得る。
【００９９】
図１０Ａに示されるように、ＥＤ１０１０は、少なくとも１つの処理ユニット１０００を含む。処理ユニット１０００は、ＥＤ１０１０の様々な処理動作を実装する。例えば、処理ユニット１０００は、信号符号化、データ処理、電力制御、入力／出力処理、又はＥＤ１０１０がシステム９００で動作することを可能にする任意の他の機能を実行し得る。処理ユニット１０００はまた、上記でより詳細に説明された方法及び教示をサポートする。それぞれの処理ユニット１０００は、１又は複数の動作を実行するよう構成される任意の適切な処理デバイス又はコンピューティングデバイスを含む。それぞれの処理ユニット１０００は、例えば、マイクロプロセッサ、マイクロコントローラ、デジタル信号プロセッサ、フィールドプログラマブルゲートアレイ、又は特定用途向け集積回路を含み得る。
【０１００】
ＥＤ１０１０はまた、少なくとも１つのトランシーバ１００２を含む。トランシーバ１００２は、少なくとも１つのアンテナ又はＮＩＣ（ネットワークインタフェースコントローラ）１００４による送信のために、データ又は他のコンテンツを変調するよう構成される。トランシーバ１００２はまた、少なくとも１つのアンテナ１００４によって受信されたデータ又は他のコンテンツを復調するよう構成される。それぞれのトランシーバ１００２は、無線又は有線送信の信号を生成する、又は無線で又は有線で受信された信号を処理するための任意の適切な構造を含む。それぞれのアンテナ１００４は、無線又は有線信号を送信又は受信するための任意の適切な構造を含む。１又は複数の送受信機１００２がＥＤ１０１０に用いられてよく、１又は複数のアンテナ１００４がＥＤ１０１０に用いられてよい。単一の機能ユニットとして示されているが、トランシーバ１００２はまた、少なくとも１つの送信機及び少なくとも１つの別個受信機を用いて実装され得る。
【０１０１】
ＥＤ１０１０は、さらに、１又は複数の入力／出力デバイス１００６、又は（インターネット９５０への有線インタフェースのような）インタフェースを含む。入力／出力デバイス１００６は、ネットワークにおけるユーザデバイス又は他のデバイスとのインタラクション（ネットワーク通信）を促進する。それぞれの入力／出力デバイス１００６は、ネットワークインタフェース通信を含む、スピーカ、マイク、キーパッド、キーボード、ディスプレイ、又はタッチスクリーンのような、ユーザに情報を提供する、又はユーザからの情報を受信／提供するための任意の適切な構造を含む。
【０１０２】
加えて、ＥＤ１０１０は、少なくとも１つのメモリ１００８を含む。メモリ１００８は、ＥＤ１０１０によって用いられ、生成され、又は収集される命令及びデータを格納する。例えば、メモリ１００８は、（複数の）処理ユニットによって実行されるソフトウェア又はファームウェア命令、及び入力信号における干渉を減少又は除くのに用いられるデータを格納し得る。それぞれメモリ１００８は、任意の適切な揮発性又は不揮発性ストレージ及び（複数の）検索デバイスを含む。ランダムアクセスメモリ（ＲＡＭ）、リードオンリメモリ（ＲＯＭ）、ハードディスク、光ディスク、加入者識別モジュール（ＳＩＭ）カード、メモリスティック、セキュアデジタル（ＳＤ）メモリカード等のような、任意の適切なタイプのメモリが用いられ得る。
【０１０３】
図１０Ｂに示されるように、基地局１０７０は、少なくとも１つの処理ユニット１０５０、送信機及び受信機の機能を含む少なくとも１つのトランシーバ１０５２、１又は複数のアンテナ１０５６、少なくとも１つのメモリ１０５８、及び１又は複数の入力／出力デバイス又はインタフェース１０６６を含む。当業者によって理解されるだろうスケジューラは、処理ユニット１０５０に連結される。スケジューラは、基地局１０７０内に含まれてよく、又は基地局１０７０とは別に動作し得る。処理ユニット１０５０は、信号符号化、データ処理、電力制御、入力／出力処理、又は任意の他の機能のような、基地局１０７０の様々な処理動作を実装する。処理ユニット１０５０はまた、上記でより詳細に説明した方法及び教示をサポートし得る。それぞれの処理ユニット１０５０は、１又は複数の動作を実行するよう構成される任意の適切な処理デバイス又はコンピューティングデバイスを含む。それぞれの処理ユニット１０５０は、例えば、マイクロプロセッサ、マイクロコントローラ、デジタル信号プロセッサ、フィールドプログラマブルゲートアレイ、又は特定用途向け集積回路を含み得る。
【０１０４】
それぞれのトランシーバ１０５２は、１又は複数のＥＤ又は他のデバイスに無線又は有線送信する信号を生成するための任意の適切な構造を含む。それぞれのトランシーバ１０５２は、さらに、１又は複数のＥＤ又は他のデバイスから無線で又は有線で受信された信号を処理するための任意の適切な構造を含む。トランシーバ１０５２として組み合わされて示されるが、送信機及び受信機は、別個の構成要素であり得る。それぞれのアンテナ１０５６は、無線又は有線信号を送信又は受信するための任意の適切な構造を含む。ここでは、共通アンテナ１０５６がトランシーバ１０５２に連結されているものとして示されているが、１又は複数のアンテナ１０５６が（複数の）トランシーバ１０５２に連結されてよく、別個の構成要素として設けられている場合、別個アンテナ１０５６が送信機及び受信機に連結されることを可能にする。それぞれのメモリ１０５８は、任意の適切な揮発性又は不揮発性ストレージ及び（複数の）検索デバイスを含む。それぞれの入力／出力デバイス１０６６は、ネットワークにおけるユーザデバイス又は他のデバイスとのインタラクション（ネットワーク通信）を促進する。それぞれの入力／出力デバイス１０６６は、ネットワークインタフェース通信を含む、ユーザに情報を提供する、又はユーザからの情報を受信／提供するための任意の適切な構造を含む。
【０１０５】
図１１は、本明細書で開示されるデバイス及び方法を実装するのに用いられ得るコンピューティングシステム１１００のブロック図である。例えば、コンピューティングシステムは、ＵＥ、アクセスネットワーク（ＡＮ）、モビリティ管理（ＭＭ）、セッション管理（ＳＭ）、ユーザプレーンゲートウェイ（ＵＰＧＷ）、又はアクセス層（ＡＳ）のうちの任意のエンティティであり得る。特定のデバイスは、示される構成要素の全て、又は構成要素の一部のみを利用してよく、集積のレベルは、デバイスによって異なってよい。さらに、デバイスは、複数の処理ユニット、プロセッサ、メモリ、送信機、受信機等のような、構成要素の複数のインスタンスを含み得る。コンピューティングシステム１１００は、処理ユニット１１０２を含む。処理ユニットは、中央演算装置（ＣＰＵ）１１１４、メモリ１１０８を含み、さらに、大容量ストレージデバイス１１０４、ビデオアダプタ１１１０、バス１１２０に接続されたＩ／Ｏインタフェース１１１２を含み得る。
【０１０６】
バス１１２０は、メモリバス若しくはメモリコントローラ、ペリフェラルバス、又はビデオバスを含む、任意のタイプのいくつかののバスアーキテクチャのうちの１又は複数であり得る。ＣＰＵ１１１４は、任意のタイプの電子データプロセッサを含み得る。メモリ１１０８は、スタティックランダムアクセスメモリ（ＳＲＡＭ）、ダイナミックランダムアクセスメモリ（ＤＲＡＭ）、シンクロナスＤＲＡＭ（ＳＤＲＡＭ）、リードオンリメモリ（ＲＯＭ）又はこれらの組み合わせのような、任意のタイプの非一時的システムメモリを含み得る。一実施形態において、メモリ１１０８は、ブートアップ時に使用するＲＯＭ、及びプログラムを実行する間に使用するプログラム及びデータストレージのためのＤＲＡＭを含み得る。
【０１０７】
大容量ストレージ１１０４は、データ、プログラム及び他の情報を格納し、バス１１２０を介してアクセス可能なデータ、プログラム及び他の情報を作成するよう構成される、任意のタイプの非一時的ストレージデバイスを含み得る。大容量ストレージ１１０４は、例えば、ソリッドステートドライブ、ハードディスクドライブ、磁気ディスクドライブ、又は、光ディスクドライブのうちの１又は複数を含み得る。
【０１０８】
ビデオアダプタ１１１０及びＩ／Ｏインタフェース１１１２は、外部の入出力デバイスを処理ユニット１１０２に連結するインタフェースを提供する。図示されるように、入出力デバイスの例は、ビデオアダプタ１１１０に連結されたディスプレイ１１１８、及びＩ／Ｏインタフェース１１１２に連結されたマウス、キーボード、又はプリンタ１１１６を含む。他のデバイスが処理ユニット１１０２に連結されてよく、追加の又はより少ないインタフェースカードが利用され得る。例えば、ユニバーサルシリアルバス（ＵＳＢ）（不図示）のようなシリアルインタフェースが、外部のデバイスにインタフェースを提供するのに用いられ得る。
【０１０９】
処理ユニット１１０２はまた、ノード又は異なるネットワークにアクセスすべく、イーサネット（登録商標）ケーブルのような有線リンク又は無線リンクを含み得る１又は複数のネットワークインタフェース１１０６を含む。ネットワークインタフェース１１０６は、処理ユニット１１０２がネットワークを介してリモートユニットと通信することを可能にする。例えば、ネットワークインタフェース１１０６は、１又は複数の送信機／送信アンテナ及び１又は複数の受信機／受信アンテナを介して無線通信を提供し得る。一実施形態において、処理ユニット１１０２が、他の処理ユニット、インターネット又はリモートストレージ設備のようなリモートデバイスとのデータ処理及び通信のために、ローカルエリアネットワーク１１２２又はワイドエリアネットワークに連結される。
【０１１０】
本明細書で提供される実施形態の方法の１又は複数の段階は、対応するユニット又はモジュールによって実行され得ることを理解されたい。例えば、信号は、送信ユニット又は送信モジュールによって送信され得る。信号は、受信ユニット又は受信モジュールによって受信され得る。信号は、処理ユニット又は処理モジュールによって処理され得る。他の段階は、決定ユニット／モジュールによって実行され得る。それぞれのユニット／モジュールは、ハードウェア、ソフトウェア、又はこれらの組み合わせであり得る。例えば、１又は複数のユニット／モジュールは、フィールドプログラマブルゲートアレイ（ＦＰＧＡ）又は特定用途向け集積回路（ＡＳＩＣ）のような、集積回路であり得る。
【０１１１】
本開示及びその利点が詳細に説明されたが、本明細書では、添付の特許請求の範囲によって画定される本開示の趣旨及び範囲から逸脱することなく、様々な変更、置換、及び修正が行われ得ることを理解されたい。
【図１】
0006927549.tif 000002
【図２】
0006927549.tif 000003
【図３】
0006927549.tif 000004
【図４Ａ】
0006927549.tif 000005
【図４Ｂ】
0006927549.tif 000006
【図５】
0006927549.tif 000007
【図６】
0006927549.tif 000008
【図７】
0006927549.tif 000009
【図８Ａ】
0006927549.tif 000010
【図８Ｂ】
0006927549.tif 000011
【図９】
0006927549.tif 000012
【図１０Ａ】
0006927549.tif 000013
【図１０Ｂ】
0006927549.tif 000014
【図１１】
0006927549.tif 000015